(57)【特許請求の範囲】
【請求項１】
分割された上下外箱をボルト結合して一体に構成した外箱内における上箱の中央部内側に設けた中心軸受と、外箱内に設けた中心軸支持板の中央部上面に突設した中心軸受との間に亘り鉛直方向に中心軸を垂設し、該中心軸に、回転自在に回転体を嵌挿し、該回転体の内部にゼンマイ状に回巻したバネ板を収納し、該バネ板の一端を前記中心軸支持板に穿設したスリットに挿入固定し、バネ板他端を回転体に穿設したスリットに挿入固定するとともに、前記回転体の外周に荷重伝達用ワイヤーを回巻し、その一端を回転体外周に固定すると共に、ワイヤー他端を下箱中央部に穿設したワイヤー穴を介して垂下させて配管に取付け可能に構成したことを特徴とするゼンマイバネ式配管支持装置。
【発明の詳細な説明】
【０００１】
【産業上の利用分野】
本発明は狭隘作業空間での配管の移動を可能とした配管支持装置に関する。
【０００２】
【従来の技術】
従来の配管支持装置の１例を図６に示す。
図において配管２０を懸垂する荷重伝達ロッド５０により配管２０の支持荷重はその上端において外箱４０内上部に配設された荷重伝達板６０に伝達される。
【０００３】
荷重伝達板６０に伝達された荷重は、さらに該荷重伝達板６０の下面に接触するコイル状バネ７０に伝わり、該バネ７０により荷重を支持される。コイル状バネ７０も外箱４０内に装着されている。
【０００４】
そしてバネ７０の弾発力に抗した配管２０の荷重により配管２０の鉛直方向の移動は、該バネの伸縮により追従できるよう構成している。
【０００５】
【発明が解決しようとする課題】
ところで前述のような従来の配管支持装置は、配管の鉛直方向の移動が大きい場合、コイル状バネの伸縮量を大きくする為にコイル状バネの長さが長くなり、それに伴ないコイル状バネを収納する外箱の長さを長くする必要があるため装置本体が長くなることから狭隘な作業空間には適用できないという不具合があった。
【０００６】
本発明は上記不具合点を解消し、狭隘部であっても配管の移動に追従できる新たな配管支持装置を得ることを目的としている。
【０００７】
【課題を解決するための手段】
前記目的を達成するための構成として本発明のゼンマイバネ式配管支持装置は、分割された上下外箱をボルト結合して一体に構成した外箱内における上箱の中央部内側に設けた中心軸受と、外箱内に設けた中心軸支持板の中央部上面に突設した中心軸受との間に亘り鉛直方向に中心軸を垂設し、該中心軸に、回転自在に回転体を嵌挿し、該回転体の内部にゼンマイ状に回巻したバネ板を収納し、該バネ板の一端を前記中心軸支持板に穿設したスリットに挿入固定し、バネ板他端を回転体に穿設したスリットに挿入固定するとともに、前記回転体の外周に荷重伝達用ワイヤーを回巻し、その一端を回転体外周に固定すると共に、ワイヤー他端を下箱中央部に穿設したワイヤー穴を介して垂下させて配管に取付け可能に構成したことを特徴としている。
【０００８】
【作用】
上記構成よりなる本発明においては、配管の鉛直方向の移動は、該配管を懸架した荷重伝達ワイヤーを介して外箱内部に装架した回転体に回転方向の移動として変換される。
【０００９】
これにより回転体内部に取付けられたゼンマイ状バネ板が配管の移動量に伴ない巻き締められることによりスプリング効果を発生し配管の荷重を支持し、かつ配管の鉛直方向の移動に追従できる。
【００１０】
このように配管の鉛直方向への移動を、回転体により回転方向への移動に変換することにより配管の鉛直方向への移動量が大きくても、装置本体の長さを大きくする必要がない。従って狭隘な作業空間においても配管の支持を有効に行なうことができる。
【００１１】
【実施例】
以下図面により本発明の一実施例について説明する。
図１は本発明の実施例に係る配管支持装置の縦断面図、図２は上外箱を示し（ａ）は側断面図、（ｂ）は平面図、図３は中心軸支持板を示し（ａ）は側断面図、（ｂ）は平面図、図４は下外箱を示し（ａ）は側断面図、（ｂ）は平面図、図５は回転体とその構成部品を示し（ａ）は回転体側断面図、（ｂ）は平面図、（ｃ）はバネ板の側面及び平面図、（ｄ）はワイヤーの斜視図である。
【００１２】
これらの図において、１は上外箱、２は下外箱で両外箱を各外箱に穿設したボルト穴１４に挿入するボルト１５により一体的に取付けられ配管支持装置本体を形成している。
【００１３】
そして該配管支持装置本体内には、中心軸支持板３が本体内部空間内に配設され、その両端は前記ボルト１５により上下各外箱と一体的に接続固着されている。
【００１４】
上外箱１の中央部にはその下面に中心軸受９が垂設されると共に、これと対向する中心軸支持板３の中央部位置にはその上面に同様に中心軸受９′が突設され、両中心軸受９，９′に亘り中心軸７が鉛直方向に垂設嵌挿されている。また上外箱１の上面には中央部付近左右に本体取付用ラグ１０がそれぞれ固着され、外箱本体を所要位置に保持支承している。
【００１５】
中心軸７には回転体４が回転可能に嵌挿され、該回転体４の外周にはワイヤー巻き付け溝１３が形成され、該溝１３中に配管荷重伝達用ワイヤー６が巻き付けられている。
【００１６】
また回転体４内部には帯状のバネ板５がゼンマイ状に回巻して収納され、該バネ板５の一端１８は中心軸支持板３に穿設したスリット１１に巻込み固定されると共に、バネ板５の他端１９は、回転体４に穿設したスリット１２に巻込み固定される。
【００１７】
荷重伝達用ワイヤー６は一端に回転子固定用ボルト穴２１を有し、該穴２１にボルトを挿入することにより回転体４にワイヤーの一端は固着され、ワイヤー他端は中心軸支持板３の一側近くに穿設したワイヤー穴１６を通して滑車８を介して下外箱２の中心部に穿設したワイヤー穴１７より垂下させ、その垂下したワイヤー端は配管２０に固着されて同配管２０を懸架支持している。
【００１８】
前記滑車８は中心軸支持板３の下面に複数個垂設された支持手段に回転自在に軸架されており、ワイヤー６を下外箱２の中央部に設けたワイヤー穴１７に導くためのものである。
【００１９】
つぎに上記構成よりなる配管支持装置の作動について説明する。
配管支持装置に配管荷重を作用させると、ワイヤー６を介して荷重は同ワイヤーの一端に固着した回転体４に伝達され、回転体内部のゼンマイ状に収納されたバネ板５のスプリング作用により配管２０の荷重を支持し、かつ配管の鉛直方向の移動に追従する。
【００２０】
このようにして配管の鉛直方向の移動を回転体４により回転方向への移動に変換することができるので、配管の鉛直方向の移動が大きくても、装置本体は大きくならない。
【００２１】
従って狭隘部にある鉛直方向の移動量が大きい配管を支持する場合に有効である。
【００２２】
以上本発明の１実施例について説明したが、本発明は上記実施例に限定されるものでなく、本発明技術思想の範囲内において種々設計変更が可能であり、それらは何れも本発明の技術的範囲に属する。
【００２３】
【発明の効果】
本発明によれば、配管の鉛直方向への移動を、装置内に収納した回転体により回転方向への移動に変換することにより、配管の荷重による鉛直方向への移動量が大きくても装置本体の長さを大きくする必要がなく狭隘な作業空間においても配管を有効に支持することができる。
【図面の簡単な説明】
【図１】本発明の１実施例に係る配管支持装置の縦断面図である。
【図２】同配管支持装置の上外箱を示し、（ａ）は側断面図、（ｂ）は平面図である。
【図３】同配管支持装置の中心軸支持板を示し、（ａ）は側断面図、（ｂ）は平面図である。
【図４】同配管支持装置の下外箱を示し、（ａ）は側断面図、（ｂ）は平面図である。
【図５】同配管支持装置の回転体とその構成部品を示し、（ａ）は回転体側断面図、（ｂ）は同平面図、（ｃ）はバネ板の側面及び平面図、（ｄ）はワイヤーの斜視図である。
【図６】従来の配管支持装置の１例の側断面図である。
【符号の説明】
１    上外箱
２    下外箱
３    中心軸支持板
４    回転体
５    バネ板
６    ワイヤー
７    中心軸
８    滑車
９，９′    中心軸受
１０    本体取付用ラグ
１１，１２    スリット
１３    ワイヤー巻き付け溝
１６，１７    ワイヤー穴
２０    配管
【図１】
0003553176.tif 000002
【図２】
0003553176.tif 000003
【図３】
0003553176.tif 000004
【図４】
0003553176.tif 000005
【図５】
0003553176.tif 000006
【図６】
0003553176.tif 000007